(57)【要約】      （修正有）【課題】補綴物を汚損することなく安定して保持することができる歯科用治具および補綴物を安定に保持して測色を行うことができる歯科用測色システムの提供。【解決手段】補綴物１００を保持するための歯科用治具１は、基部１０と、基部１０上に離間して配置され、載置された補綴物１００を挟持して保持可能な一対の保持部材２１、２２とを備える。光射出口が設けられた歯科用測色機の端面を、補綴物１００が保持された歯科用治具１が取り付けられたアダプタの前面に当接させると、測色基準面となる壁面部１１と測色機との位置関係が一定に定まるので、常に同一の距離を保って補綴物表面の色彩を計測することができ、安定した測色を行うことができる。【選択図】図１
2010115229.tif 000002
【特許請求の範囲】
【請求項１】
補綴物を保持するための歯科用治具であって、
基部と、
前記基部上に離間して配置され、載置された前記補綴物を挟持して保持可能な一対の保持部材と、
を備えることを特徴とする歯科用治具。
【請求項２】
前記一対の保持部材は、少なくとも前記補綴物と接触する面が弾性変形可能な材料で形成されていることを特徴とする請求項１に記載の歯科用治具。
【請求項３】
前記一対の保持部材は、塑性変形可能な材料で形成されていることを特徴とする請求項１に記載の歯科用治具。
【請求項４】
前記一対の保持部材を互いに接近するように移動可能に構成された駆動部をさらに備えることを特徴とする請求項１に記載の歯科用治具。
【請求項５】
前記駆動部は、ワンウェイクラッチを有するラックアンドピニオンを備えることを特徴とする請求項４に記載の歯科用治具。
【請求項６】
前記駆動部は磁石を有して構成され、前記磁石によって生じる斥力によって前記一対の保持部材を互いに近づくように移動可能であることを特徴とする請求項４に記載の歯科用治具。
【請求項７】
前記一対の保持部材と異なる方向から前記補綴物を挟持する補助部材をさらに備えることを特徴とする請求項１に記載の歯科用治具。
【請求項８】
請求項１から７のいずれか１項に記載の歯科用治具と、
前記補綴物の表面の色彩を計測するための測色機と、
を備えることを特徴とする歯科用測色システム。
【発明の詳細な説明】
【技術分野】
【０００１】
本発明は、補綴物を保持するための歯科用治具及びこれを含む歯科用測色システムに関する。
【背景技術】
【０００２】
従来、クラウンや義歯等の各種の補綴物は、補綴物が設置される箇所に隣接する歯との間で外観に違和感が生じないように、これらの歯と同等の色彩をもつ陶材（セラミック）等の歯科用材料により作製されている。そして、作成された補綴物が違和感を生じないように仕上がっているかどうかを確認するために、作成後の補綴物を歯科用治具に取り付けて保持し、測色システムで色彩を測定することが行われている。
【０００３】
特許文献１には、このような用途に用いられる歯科用治具が記載されている。この歯科用治具においては、歯肉を模した壁面の裏側に複数のポスト状の構造物が配列されており、当該構造物の先端にワックス等の保持物を取り付けてから補綴物が取り付けられる。すなわち、構造物の先端は補綴物に設けられた穴に挿入され、ワックス等の保持物によって補綴物が構造物の先端に保持される。
【特許文献１】米国特許第６５４０５１３号公報
【発明の開示】
【発明が解決しようとする課題】
【０００４】
しかしながら、特許文献１に記載の歯科用治具では、ワックス等の保持物のみによって補綴物が保持されているため、その保持状態が不安定であるという問題がある。固化するような保持物を用いればより強固に保持することが可能であるが、測色後は補綴物を取り外さなければならないので、そのようなことは困難である。
【０００５】
また、上述の保持方法では、補綴物を取り外した際にワックス等の保持物が補綴物の表面に残留することがある。この場合、取り外し後に補綴物の洗浄が必要となり、処理が煩雑となるという問題がある。
【０００６】
本発明は、上述したような事情に鑑みてなされたもので、補綴物を汚損することなく安定して保持することができる歯科用治具を提供することを目的とする。
本発明の他の目的は、補綴物を安定に保持して測色を行うことができる歯科用測色システムを提供することである。
【課題を解決するための手段】
【０００７】
本発明の第１の態様は、補綴物を保持するための歯科用治具であって、基部と、前記基部上に離間して配置され、載置された前記補綴物を挟持して保持可能な一対の保持部材とを備えることを特徴とする。
【０００８】
本発明の歯科用治具によれば、補綴物が一対の保持部材によって基部の上方に挟持され、安定した状態で保持される。
【０００９】
前記一対の保持部材は、少なくとも前記補綴物と接触する面が弾性変形可能な材料で形成されてもよい。この場合、保持部材の弾性反発力によって、補綴物を安定した状態で保持することができる。
また、前記一対の保持部材は、塑性変形可能な材料で形成されてもよい。この場合、補綴物を好適に挟持可能な形状に保持部材を適宜変形させることによって、様々な形状の補綴物を好適に保持することができる。
【００１０】
本発明の歯科用治具は、前記一対の保持部材を互いに接近するように移動可能に構成された駆動部をさらに備えてもよい。この場合、駆動部を介して保持部材を移動させることで、補綴物を適度に押圧することにより、好適に補綴物を保持することができる。
なお、前記駆動部は、ワンウェイクラッチを有するラックアンドピニオンを備えてもよいし、前記駆動部が磁石を有して構成され、前記磁石によって生じる斥力によって前記一対の保持部材を互いに近づくように移動可能であってもよい。
【００１１】
本発明の歯科用治具は、前記一対の保持部材と異なる方向から前記補綴物を挟持する補助部材をさらに備えてもよい。この場合、より確実に補綴物を保持することができる。
【００１２】
本発明の第２の態様である歯科用測色システムは、本発明の歯科用治具と、前記補綴物の表面の色彩を計測するための測色機とを備えることを特徴とする。
【００１３】
本発明の歯科用測色システムによれば、補綴物を安定した状態で保持し、正確に測色を行うことができる。
【発明の効果】
【００１４】
本発明の歯科用治具によれば、補綴物を汚損することなく安定して保持することができる。
また、本発明の歯科用測色システムによれば、補綴物を安定に保持して測色を行うことができる。
【発明を実施するための最良の形態】
【００１５】
本発明の第１実施形態について、図１（ａ）ないし図２（ｂ）を参照して説明する。図１（ａ）は本実施形態の歯科用治具１を示す正面図であり、図１（ｂ）は歯科用治具１の上面図である。
本実施形態の歯科用治具１は、基部１０と、基部１０上に離間して配置された一対の保持部材２１、２２を有する保持部２０とを備えて構成されている。
【００１６】
基部１０は保持部２０を支持するベースとして機能するもので、その前面には壁面部１１が取り付けられている。壁面部１１の形状は、補綴物１００が保持された際に、患者の口腔内に取り付けられた状態を想像しやすくするために、歯肉を模しており、その色彩も歯肉と同等となるように、薄ピンク色とされているが、壁面部１１の形状及び色彩はこれには限定されない。
【００１７】
一対の保持部材２１、２２は、基部１０に対して略直立するように設けられている。保持部材２１、２２は、所定の距離だけ離間して設けられているが、所定の距離は、測色の主な対象となる前歯等の幅方向における最小サイズを考慮し、それよりも若干、例えば数ミリメートル（ｍｍ）程度小さくなるように設定すれば、より広い範囲の補綴物を保持することが可能である。
【００１８】
保持部材２１、２２は、弾性変形可能な材料で形成されている。例えば、天然ゴム、合成ゴム、シリコーンゴム等を好適に採用することができる。保持部材２１、２２の色彩は、補綴物が実際に取り付けられる両側の隣接歯を考慮し、白色をベースとした色彩とされるのが好ましい。
【００１９】
保持部材２１、２２の互いに対向する面においては、図１（ｂ）に示すように、壁面部１１と反対側に突起２１Ａ、２２Ａがそれぞれ設けられている。突起２１Ａ、２２Ａは、保持部材２１及び２２の間に保持された補綴物が後方（壁面部１１と反対側の方向）に逸脱するのを防ぐものであり、保持部材２１、２２の高さ方向にわたって設けられてもよいし、高さ方向における任意の範囲にのみ設けられてもよい。
【００２０】
上記のように構成された歯科用治具１の使用時の動作について説明する。
ユーザは、図１（ａ）及び図１（ｂ）に示すように、保持する補綴物１００を保持部２０の一対の保持部材２１、２２の間に押し込むように設置する。なお、ここでは補綴物の一例として、クラウンを符号１００を付して示している。
【００２１】
保持部材２１、２２間の距離は、補綴物１００の幅方向の寸法より若干小さく設定されているため、補綴物１００を押し込むことによって保持部材２１、２２が弾性変形される。その結果、保持部材２１、２２が元の形状に戻ろうとする反発力によって補綴物１００が挟持されて、図２（ａ）及び図２（ｂ）に示すように安定した状態で保持される。
【００２２】
本実施形態の歯科用治具１によれば、所定距離離間して配置された一対の保持部材２１、２２が弾性変形可能な材料で形成されているので、補綴物１００を保持部材２１、２２の間に設置することによって、保持部材２１、２２の弾性反発力によって補綴物１００が安定した状態で保持される。その結果、上述のようにワックス等の保持物を用いる場合と比較して、補綴物１００の幅方向（補綴物が設置される歯列の延びる方向）へのぶれが抑制され、これによる光の当たり方の変化等が抑制される。したがって、より正確な測色が可能となるように補綴物１００を保持することができる。
【００２３】
また、保持部材２１、２２が弾性を有する材料で形成されているので、補綴物１００を挟持する際に、補綴物１００の表面を汚損したり傷つけたりすることを防止することができる。
さらに、保持部材２１、２２に突起２１Ａ、２２Ａが設けられているので、保持部材２１、２２が比較的強い反発力を有する場合であっても、補綴物１００が保持部材の間から逸脱することを防止して確実に保持することができる。
【００２４】
続いて、本発明の第２実施形態について、図３（ａ）ないし図４（ｂ）を参照して説明する。本実施形態の歯科用治具３１と上述の歯科用治具１との異なるところは、補助部材をさらに備える点である。なお、上述の第１実施形態と共通する構成については、同一の符号を付して重複する説明を省略する。
【００２５】
図３（ａ）は歯科用治具３１を示す正面図であり、図３（ｂ）は歯科用治具３１の上面図である。基部１０上には、一対の保持部材２１、２２に加えて、一対の補助部材２３、２４が設けられている。補助部材２３、２４は、保持部材２１及び２２の間の空間に互いに前後方向（壁面部１１の長手方向に直交する方向）に所定の間隔をあけて離間して設けられている。
【００２６】
補助部材２３、２４は、保持部材２１、２２と同様の材料で形成され、弾性変形が可能である。また、補助部材の高さは壁面部１１よりも低く、図３（ａ）に示すように、正面視においては壁面部１１に隠れて視認できない程度に設定されている。
【００２７】
上記のように構成された歯科用治具３１を使用する際には、図３（ａ）及び図３（ｂ）に示すように、保持部材２１、２２間に補綴物１００を押し込むように設置する。このとき、補綴物１００が同時に補助部材２３、２４間にも押し込まれるように設置する。
【００２８】
すると、補綴物１００は、保持部材２１、２２の弾性力によって、幅方向両端から挟持される。同時に、補助部材２３、２４の弾性力によって、補綴物１００は、保持部材２１、２２の挟持方向とは異なる前後方向から挟持される。したがって、補綴物１００は、互いに略直交する幅方向及び前後方向から挟持されることにより、安定した状態で保持される。
【００２９】
本実施形態の歯科用治具３１によれば、保持部材２１、２２と異なる方向から補綴物１００を挟持可能な補助部材２３、２４が設けられているので、補綴物１００をより確実に保持することができる。
また、補助部材２３、２４の高さが壁面部１１の高さよりも低く設定されているので、測色時に補綴物１００の色彩に影響を及ぼすことなく保持することができる。
【００３０】
なお、前側の補助部材２３の配置によって保持部材２１、２２と壁面部１１との間の距離が変化するが、当該距離が大きくなりすぎると、壁面部１１によって補綴物の表面に生じる陰影が表面の色彩に影響を与えることがあるので、当該距離ができるだけ近くなるように、補助部材２３の前後方向の寸法や配置位置等が適宜設定されるのが好ましい。
【００３１】
また、補助部材２３に代えて、壁面部１１と後側の補助部材２４とで補綴物１００を挟持するように歯科用治具を構成してもよい。この場合、一対の補助部材２３、２４に代えて、壁面部１１及び補助部材２４によって補綴物１００が保持される。
【００３２】
次に本実施形態の第３実施形態について、図５（ａ）から図６を参照して説明する。本実施形態の歯科用治具４１と上述の歯科用治具１との異なるところは、保持部材が塑性変形可能な材料で形成されている点である。なお、以降の説明において、既に説明した各実施形態と共通する構成については、同一の符号を付して重複する説明を省略する。
【００３３】
図５（ａ）は、歯科用治具４１の上面図である。保持部４２の一対の保持部材４３、４４は、いずれも塑性変形可能な軟性の部材で形成されている。保持部材４３、４４は、塑性変形時においても補綴物１００を保持可能な程度の硬度を有することが必要であり、例えば、粘土、ゲル状樹脂等を好適に採用することができる。このうち、補綴物１００の表面に残留しにくく、補綴物を汚しにくいという観点からはゲル状樹脂が好ましい。
【００３４】
上記のように構成された歯科用治具４１を使用する際には、保持部材４３、４４を前後方向に圧縮するように力を加えて塑性変形させ、保持部材２３、２４間の距離を、図５（ｂ）に示すように補綴物１００の幅方向の寸法と同等となるまで短くして保持部材２３及び２４を接近させる。
【００３５】
ユーザがさらに保持部材４３、４４を塑性変形させると、図５（ｃ）のように保持部材４３、４４によって補綴物１００が挟持され、図６に示すように、補綴物１００が良好に保持される。なお、保持部材４３、４４で補綴物を挟持する際には、補綴物１００の幅方向両端にのみ保持部材４３、４４を接触させてもよいし、図５（ｃ）に示すように、補綴物１００の前後において保持部材４３、４４がより接近するように変形されてもよい。後者の場合、補綴物１００の前後方向へのブレを好適に防止することができる。
【００３６】
本実施形態の歯科用治具４１によれば、保持部材４３、４４が塑性変形可能な材料で形成されているので、補綴物１００の様々な形状によらず、好適に挟持可能な形状に保持部材を変形させて補綴物１００を保持することができる。したがって、より多種類の補綴物に対応可能に治具を構成することができる。
【００３７】
次に、本実施形態の第４実施形態について、図７（ａ）ないし図８（ｂ）を参照して説明する。本実施形態の歯科用治具５１と上述の各実施形態の歯科用治具との異なるところは、保持部材を移動させるための駆動部を備えている点である。
【００３８】
図７（ａ）は、歯科用治具５１の正面図であり、図７（ｂ）は歯科用治具５１の上面図である。図７（ａ）に示すように、一対の保持部材５２、５３は、基部１０上に取り付けられた駆動部６０に固定されている。各保持部材５２、５３は、図７（ｂ）に示すように、補綴物１００と接触する接触部５４が弾性を有する材料で形成され、残りの部分は硬質な材料で形成されている。
【００３９】
保持部材５２、５３を移動させるための駆動部６０は、それぞれラック歯６１Ａ、６２Ａを有するレール６１、６２と、ラック歯６１Ａ、６２Ａが係合可能なピニオン６３を有する軸部６４とを備えている。保持部材５２、５３は、それぞれレール６１、６２の軸部６４と反対側の端部に固定されている。軸部６４はピニオン６３を中心軸周りに回転可能に基部１０に取り付けられており、駆動部６０は全体としてラックアンドピニオンとして機能する。また、ラック歯６１Ａ、６２Ａは、それぞれ保持部材５２、５３が固定された側の斜面のなす角度がより大きく形成されており、保持部材５２、５３が離間する方向にレール６１、６２が自然に移動するのを防止するワンウェイクラッチとして機能する。
【００４０】
上記のように構成された歯科用治具５１の使用時の動作について説明する。
ユーザは補綴物１００を保持部材５２、５３の間に設置し、駆動部６０の軸部６４を操作してピニオン６３を図７（ａ）における時計回りに回転させる。すると、レール６１、６２が基部１０上を移動して、保持部材５２、５３が互いに接近するように移動し、図８（ａ）及び図８（ｂ）に示すように補綴物１００が保持部材５２、５３に挟持されて保持される。レール６１、６２の離間方向への移動は、ワンウェイクラッチとして機能するラック歯６１Ａ、６２Ｂとピニオン６３との係合によって抑制される。
【００４１】
本実施形態の歯科用治具５１によれば、駆動部６０によって一対の保持部材５２、５３を接近させるように移動させることができるので、保持部材５２、５３で補綴物１００を適度に押圧して確実に保持することができる。また、駆動部６０のレール６１、６２にワンウェイクラッチとして機能するラック歯６１Ａ、６２Ｂが設けられているので、保持部材５２、５３による補綴物１００の挟持状態を好適に維持することができる。
【００４２】
次に、本実施形態の第５実施形態について、図９（ａ）ないし図１０（ｂ）を参照して説明する。本実施形態の歯科用治具７１と上述の各実施形態の歯科用治具との異なるところは、駆動部の構成である。
【００４３】
図９（ａ）は、歯科用治具７１の正面図であり、図９（ｂ）は歯科用治具７１の上面図である。駆動部８０は、基部１０に取り付けられた一対の外側磁石８１Ａ、８１Ｂと、保持部材５２、５３に取り付けられた一対の内側磁石８２Ａ、８２Ｂとを備えている。
【００４４】
保持部材５２、５３は、第４実施形態のものと同等であり、それぞれレール７２、７３に沿って基部１０上を移動可能である。
外側磁石８１Ａ、８１Ｂは、それぞれ基部１０の長手方向端部に取り付けられている。内側磁石８２Ａ、８２Ｂはそれぞれ保持部材５２、５３の外側磁石８１Ａ、８１Ｂに対向する側に取り付けられている。外側磁石８１Ａ、８１Ｂは、それぞれ内側磁石８２Ａ、８２Ｂと反発するように磁極を並べて配置されている。
【００４５】
上記のように構成された歯科用治具７１の使用時の動作について説明する。
まずユーザは、保持部材５２、５３が離間した状態を保ちながら補綴物１００を保持部材５２と保持部材５３との間に挿入する。
【００４６】
ユーザが保持部材５２、５３を開放すると、駆動部８０の外側磁石８１Ａと内側磁石８２Ａとが反発して斥力が発生する。同様に、外側磁石８１Ｂと内側磁石８２Ｂとの間にも斥力が発生する。これらの斥力によって一対の保持部材５２、５３はレール７２、７３に沿って互いに接近するように移動し、図１０（ａ）及び図１０（ｂ）に示すように、補綴物１００が所定の押圧力で挟持されて保持される。
【００４７】
本実施形態の歯科用治具７１によっても、上述の第４実施形態の歯科用治具５１と同様に、保持部材５２、５３が補綴物１００を適度に押圧するので、補綴物１００を安定した状態で確実に保持することができる。
【００４８】
以上、本発明の各実施形態を説明したが、本発明の歯科用治具は、公知の測色機と組み合わせることによって、補綴物の色彩をより正確に評価することのできる歯科用測色システムを構成することができる。以下、本発明の歯科用治具を測色機と組み合わせる際の一例を示す。
【００４９】
図１１に示す例においては、補綴物１００が保持された歯科用治具１が、アダプタ１０１に着脱自在に取り付けられている。アダプタ１０１の前面１０１Ａは、壁面部１１よりも前方に位置している。
【００５０】
図１２は、アダプタ１０１及び歯科用治具１を歯科用の測色機１０２と組み合わせた歯科用測色システム１０５を使用する状態を示す図である。図示しない光源から測色のための光が射出される射出口１０３が設けられた測色機１０２の端面１０４をアダプタ１０１の前面１０１Ａに当接させると、測色基準面となる壁面部１１と測色機１０２との位置関係が一定に定まる。その結果、常に同一の距離を保って補綴物１００表面の色彩を計測することができ、安定した測色を行うことができる。
【００５１】
なお、上述の例では、測色機１０２が当接されるアダプタ１０１と歯科用治具１とが別体である例を説明したが、これに代えて、測色機１０２が当接される当接面を基部１０と一体に形成してもよい。また、壁面部１１を平坦に形成し、壁面部１１に測色機１０２を当接させることによって両者の位置決めを行ってもよい。
【００５２】
また、本発明の技術範囲は上記実施形態に限定されるものではなく、本発明の趣旨を逸脱しない範囲において種々の変更を加えることが可能である。
【００５３】
例えば、上述の各実施形態においては、１種類の弾性材料を用いて保持部材が形成される例を説明したが、これに代えて、図１３（ａ）及び図１３（ｂ）に示す変形例のように、保持部材２１、２２のうち、補綴物１００と接触する箇所をより柔軟性の高い第１弾性材料８５を用いて形成し、直接補綴物と接触しない部位を第１弾性材料８５よりも硬質の第２弾性材料８６を用いて形成してもよい。このようにすると、弾性材料の反発による補綴物１００の逸脱等を抑制しつつ、補綴物１００表面の損傷も好適に防止することができる。
【００５４】
さらに、図１４（ａ）及び図１４（ｂ）に示す変形例のように、一対の保持部材９１、９２の後側を一体に連結してもよい。このようにすると、補綴物１００の後側への逸脱をより確実に防止することができる。
また、本発明の歯科用治具においては、補綴物が一対の保持部材によって確実に保持されるので、補綴物が基部に載置されて保持されても、基部から離間した状態で保持されてもいずれでも構わない。いずれの状態で補綴物を保持するかについては保持部材の具体的構成等を考慮して適宜決定されてよい。
【００５５】
加えて、本発明の歯科用治具においては、上述の説明に用いたクラウンのほかにも、適宜の設計変更を行うことによって、人工歯、義歯、歯冠、インレー等の各種の補綴物に適用することが可能である。
例えば、ブリッジを含む入れ歯（デンチャー、義歯）に対して本発明の歯科用治具を適用する場合は、図１５（ａ）及び図１５（ｂ）に示すように、入れ歯１１０の外冠１１１がかぶせられる保持部材９３、９４を、支台が形成される実際の隣接歯と同様の形状に形成する。このようにすると、図１６に示すように、安定した状態で入れ歯１１０を保持することが可能である。
【図面の簡単な説明】
【００５６】
【図１】（ａ）は本発明の第１実施形態の歯科用治具を示す正面図であり、（ｂ）は同歯科用治具の上面図である。
【図２】（ａ）及び（ｂ）は同歯科用治具の使用時の動作を、それぞれ正面及び上面から見た状態を示す図である。
【図３】（ａ）は本発明の第２実施形態の歯科用治具を示す正面図であり、（ｂ）は同歯科用治具の上面図である。
【図４】（ａ）及び（ｂ）は同歯科用治具の使用時の動作を、それぞれ正面及び上面から見た状態を示す図である。
【図５】（ａ）は本発明の第３実施形態の歯科用治具を示す上面図であり、（ｂ）及び（ｃ）は、それぞれ同歯科用治具の使用時の動作を示す図である。
【図６】同歯科用治具に補綴物が保持された状態を示す図である。
【図７】（ａ）は本発明の第４実施形態の歯科用治具を示す正面図であり、（ｂ）は同歯科用治具の上面図である。
【図８】（ａ）及び（ｂ）は同歯科用治具の使用時の動作を、それぞれ正面及び上面から見た状態を示す図である。
【図９】（ａ）は本発明の第５実施形態の歯科用治具を示す正面図であり、（ｂ）は同歯科用治具の上面図である。
【図１０】（ａ）及び（ｂ）は同歯科用治具の使用時の動作を、それぞれ正面及び上面から見た状態を示す図である。
【図１１】本発明の歯科用治具を測色機と組み合わせる際の形状の一例を示す図である。
【図１２】図１１の歯科用治具を測色機と組み合わせた歯科用測色システムを示す図である。
【図１３】（ａ）は本発明の変形例の歯科用治具を示す上面図であり、（ｂ）は同歯科用治具の使用時の動作を示す上面図である。
【図１４】（ａ）は本発明の変形例の歯科用治具を示す上面図であり、（ｂ）は同歯科用治具の使用時の動作を示す上面図である。
【図１５】（ａ）及び（ｂ）は、本発明の歯科用治具を他の補綴物に適用する例を、それぞれ正面及び上面から見た状態で示す図である。
【図１６】他の補綴物が同歯科用治具に保持された状態を示す図である。
【符号の説明】
【００５７】
１、３１、４１、５１、７１  歯科用治具
１０  基部
２１、２２、４３、４４、５２、５３、９１、９２、９３、９４  保持部材
２３、２４  補助部材
６０、８０  駆動部
８１Ａ、８１Ｂ  外側磁石
８２Ａ、８２Ｂ  内側磁石
１００  補綴物
１０２  測色機
１０５  歯科用測色システム
１１０  入れ歯（補綴物）
【図１】
2010115229.tif 000003
【図２】
2010115229.tif 000004
【図３】
2010115229.tif 000005
【図４】
2010115229.tif 000006
【図５】
2010115229.tif 000007
【図６】
2010115229.tif 000008
【図７】
2010115229.tif 000009
【図８】
2010115229.tif 000010
【図９】
2010115229.tif 000011
【図１０】
2010115229.tif 000012
【図１１】
2010115229.tif 000013
【図１２】
2010115229.tif 000014
【図１３】
2010115229.tif 000015
【図１４】
2010115229.tif 000016
【図１５】
2010115229.tif 000017
【図１６】
2010115229.tif 000018